(57)【要約】【課題】  確実に幼児の足寸法を知ることができる、幼児の足寸法測定装置を提供する。【解決手段】  幼児の足寸法測定装置１０は、幼児のかかとに背面から当てる立壁１２と、立壁１２の下部から直交する方向に延び、幼児の足の裏に当てる足裏板１５とを含む。足裏板１５には、幼児の足の大きさを段階的に示す複数の幼児の足の形状が表示される。【選択図】      図１
2005021657.tif 000002
【特許請求の範囲】
【請求項１】
幼児のかかとに背面から当てる立壁と、
前記立壁の下部から直交する方向に延び、前記幼児の足の裏に当てる足裏板とを含み、
前記足裏板には、前記幼児の足の大きさを段階的に示す表示を含む、幼児の足寸法測定装置。
【請求項２】
前記幼児の足の大きさを段階的に示す表示は、複数の幼児の足の形状である、請求項１に記載の幼児の足寸法測定装置。
【請求項３】
前記複数の幼児の足の形状は相互に異なる色で表示される、請求項１または２に記載の幼児の足寸法測定装置。
【請求項４】
前記立壁には前記幼児の足の高さ方向の寸法を段階的に示す表示が設けられる、請求項１から３のいずれかに記載の幼児の足寸法測定装置。
【請求項５】
前記高さ方向の寸法を段階的に示す表示は、前記立壁において前記幼児の足の高さ方向に間隔をあけて設けられた複数の線を含む、請求項１から４のいずれかに記載の幼児の足寸法測定装置。
【請求項６】
前記複数の線で囲まれた領域は相互に色が異なる、請求項１から５のいずれかに記載の幼児の足寸法測定装置。
【請求項７】
前記立壁に保持され、前記足裏板を前記幼児のかかとに当てたとき、前記幼児の足の両側面に当接するよう設けられた一対の側面当接部材を含む、請求項１から６のいずれかに記載の幼児の足寸法測定装置。
【請求項８】
前記側面当接部材は、幼児の足の側面に沿う所定の形状を有し、前記幼児の足の長さ方向に個別に移動可能である、請求項１から７のいずれかに記載の幼児の足寸法測定装置。
【請求項９】
前記足裏板に設けられ、前記立壁を前記幼児のかかとに当てたとき、前記幼児の足の甲部分の寸法を段階的に表示するための帯を有する、請求項１から８のいずれかに記載の幼児の足寸法測定装置。
【請求項１０】
前記幼児の足を載置する透明の足載置台を含み、
前記足寸法測定装置の前記立壁は、前記足載置台の上部に位置し、前記足裏板は前記足載置台の下部に位置するよう設けられる、請求項１から９のいずれかに記載の幼児の足寸法測定装置。
【請求項１１】
前記立壁は靴のかかと部の形状であり、
前記足裏板は前記靴の足を載置する部分の形状である、請求項１から３のいずれかに記載の幼児の足寸法測定装置。
【請求項１２】
足寸法測定装置は、かかと部と、足を載置する部分とを有し、足の甲を覆う部分が設けられない、通常の靴の形状を有している、請求項１から３のいずれかに記載の幼児の足寸法測定装置。
【発明の詳細な説明】
【技術分野】
【０００１】
この発明は幼児の足寸法測定装置に関し、特に、幼児の足の寸法を容易に知ることができる幼児の足寸法測定装置に関する。
【背景技術】
【０００２】
従来の、足寸法装置装置がたとえば下記特許文献１および２に開示されている。
【０００３】
図１０は、文献１に開示された足寸法測定装置を示す図である。図１０を参照して、従来の足寸法測定装置は、足台１１０上に縦基準線１１１と目盛り線１１８が描かれ、かかと止め１１３が基準線に沿って摺動自在に設けられる。また、縦基準線の中央部には、足に巻き付ける側長用テープが設けられている。
【０００４】
図１１は、文献２に開示された足寸法測定装置を示す図である。図１１を参照して、従来の足寸法測定装置は、かかとを保持するためのかかと保持体１２１を取付けたシート１２２と、シート１２２の前側部および中途部にそれぞれ左右一対に設けられた、親指と小指の間隔測定用の帯状帯１２３と、甲高さ測定用帯状帯１２４とを含む。
【特許文献１】特開平５−２８５００６号公報（図１およびそれに関連する説明）
【特許文献２】特開２００１−２８６３０６号公報（図１およびそれに関連する説明）
【発明の開示】
【発明が解決しようとする課題】
【０００５】
従来の、足寸法装置装置は上記のように構成されていた。文献１において足の寸法を測定するには、かかと止め１１３にかかとを当てる必要があった。
【０００６】
また、文献２においても、足の寸法を測定するには、かかとをかかと保持体１２１に当てる必要があった。
【０００７】
幼児の足の寸法を知りたいときに、幼児にかかとを、かかと止めや、かかと保持体に当てさせようとしても、幼児はそのように動かない。そのため、従来の足寸法測定装置では現実には幼児足寸法の測定はできないか、またはきわめて困難であった。
【０００８】
この発明は、上記のような課題に着目してなされたもので、確実に幼児の足寸法を知ることができる、幼児の足寸法測定装置を提供することを目的とする。
【課題を解決するための手段】
【０００９】
この発明にかかる、幼児の足寸法測定装置は、幼児のかかとに背面から当てる立壁と、立壁の下部から直交する方向に延び、幼児の足の裏に当てる足裏板とを含み、足裏板には、幼児の足の大きさを段階的に示す表示を含む。
【００１０】
任意の位置にある幼児のかかとに対して、足寸法測定装置の立壁を当て、それに直交する足裏板上の、足の大きさを段階的に示す表示部がどこまで幼児の足で隠れているかによって、幼児の足の寸法を知る。
【００１１】
従来のような、幼児にかかとを所定の位置に置かせる方法ではなく、幼児が任意に置いた足のかかとに足寸法測定装置を当てるようにしたため、確実に幼児の足寸法を知ることができる。
【００１２】
好ましくは、幼児の足の大きさを段階的に示す表示は、複数の幼児の足の形状である。その結果、足の形状を合わすだけで幼児の足の寸法を知ることができる。
【００１３】
さらに好ましくは、複数の幼児の足の形状は相互に異なる色で表示される。その結果、色の表示を見ただけで、幼児の足の寸法を知ることができる。また、幼児は色に興味を持つため、幼児の足の寸法を容易に測定できる。
【００１４】
さらに好ましくは、立壁には幼児の足の高さ方向の寸法を段階的に示す表示が設けられる。
【００１５】
さらに好ましくは、高さ方向の寸法を段階的に示す表示は、前壁において幼児の足の高さ方向に間隔をあけて設けられた複数の線を含む。
【００１６】
さらに好ましくは、複数の線で囲まれた領域は相互に色が異なる。
【００１７】
さらに好ましくは、立壁に保持され、足裏板を前記幼児のかかとに当てたとき、幼児の足の両側面に当接するよう設けられた一対の側面当接部材を含む。
【００１８】
さらに好ましくは、側面当接部材は、幼児の足の側面に沿う所定の形状を有し、幼児の足の長さ方向に個別に移動可能である。
【００１９】
さらに好ましくは、足裏板に設けられ、立壁を前記幼児のかかとに当てたとき、幼児の足の甲部分の寸法を段階的に表示するための帯を有する。
【００２０】
さらに好ましくは、幼児の足を載置する透明の足載置台を含み、足寸法測定装置の立壁は、足載置台の上部に位置し、足裏板は足載置台の下部に位置するよう設けられる。
【００２１】
幼児の足を置く足載置台が別に設けられ、幼児が足載置台に足を載せた状態で、そのかかとに立壁を当て、足載置台の下部に設けられた足裏板上の足の大きさの段階的な表示をみて幼児の足の寸法を知ることができる。
【００２２】
さらに好ましくは、立壁は靴のかかと部の形状であり、足裏板は靴の足を載置する部分の形状であってもよい。
【００２３】
また、足寸法測定装置は、かかと部と、足を載置する部分とを有し、足の甲を覆う部分が設けられない、通常の靴の形状を有していてもよい。
【発明を実施するための最良の形態】
【００２４】
以下この発明の実施の形態を図面を参照して説明する。
【００２５】
図１はこの発明の一実施の形態にかかる、幼児の足寸法測定装置１０を、幼児が足を載置する足載置台２０と組み合わせて使用する場合の平面図（Ａ）と図１（Ａ）において、Ｂ−Ｂで示す部分の矢視図である（Ｂ）。図２は、図１においてＩＩ-ＩＩで示す部分の断面図である。
【００２６】
図１および図２を参照して、幼児の足寸法測定装置１０は、足載置台２０を挟んで設けられ、幼児が足載置台２０上に足を置いたとき、そのかかとに当接する立壁１２と、立壁１２と挟持部１３を介して接続された足裏部１５とを含む。
【００２７】
足載置台２０は平面状の台で、幼児が任意の位置にその足を置くことが可能であり、透明のアクリル樹脂等で作成されて、下部に設けられた足裏部１５の表面が上から見えるようになっている。またその４隅は、脚２１ａ、２１ｂ、２１ｃ、２１ｄで支持されている。
【００２８】
足寸法測定装置１０の足裏板１５の表面には、サイズの異なる複数の幼児の足の形状１７が表示されている。この複数の幼児の足の形状１７は、サイズ毎にその表示色が異なるのが好ましい。
【００２９】
立壁１２には当接部材保持部２４が設けられ、当接部材保持部２４には、幼児が足載置台２０に足を載置したとき、その足の側面に左側から図中矢印ａで示すように当接可能な左側面当接部材２２と、右側から図中矢印ｂで示すように当接可能な右側面当接部材２３とが設けられている。なお、左側面当接部材２２と、右側面当接部材２３とは、図中矢印ｃおよびｄで示すように立壁１２に対して前後方向に自在に移動が可能である。
【００３０】
図１（Ｂ）に示すように、当接部材保持部２４の下部には、当接部材間２２，２３の間隔を段階的に表示する間隔表示２５が設けられている。間隔表示２５は複数の領域に分けられ、それぞれの領域の色を異ならせるのが好ましい。
【００３１】
図２を参照して、上記したように、足寸法測定装置１０は、足載置台２０を挟む挟持部１３によって足載置台２０上の任意の位置に移動可能に保持される。
【００３２】
図３は、図１（Ａ）においてＩＩＩ-ＩＩＩで示す部分の矢視図である。図３を参照して、立壁１２の側部１４ａ、１４ｂには、図に示すように高さ方向に複数の段階６３ａ，６３ｂ，６３ｃ，６３ｄが表示されている。この複数の段階表示はそれぞれ間隔の等しい領域で構成され、相互に色が異なるように表示するのが好ましい。
【００３３】
次に足寸法測定装置１０を用いた足寸法の測定方法について説明する。まず幼児を足載置台２０上の任意の位置に立たせる。図４は足載置台２０上に幼児を任意の位置に立たせたときの状態を示す図である。図５はそのときの状態の要部を拡大した図である。図５に示すように、まず幼児の足のかかとに立壁１２を置く。幼児の足によって、複数の足形状１７（具体的には、足の大きさ表示６１ａ、６１ｂ，６１ｃ、６１ｄ）のうち、ちょうど６１ｄの部分が隠れたとする。この場合この幼児の足の大きさは６１ｄで表される寸法であることがわかる。
【００３４】
次に左右の側面当接部材２２，２３を幼児の足の側面に当接させる。このとき、側面当接部材２２，２３の所定の形状がちょうど載置された幼児の足の側面の合うように、図中矢印方向に移動させる。そして、合ったときの、両側面当接部材２２，２３間の距離を図１（Ｂ）で示した幅寸法表示２５によって判断し、この幼児の足の幅方向寸法を知る。
【００３５】
なお、幼児の足は、足の幅に応じて、図１に示した右足の場合、右上の曲率半径が変るため、右側面当接部材２３の指先方向の曲率も、これに応じて変更できるのが好ましい。なお、左側面当接部材２２も同様にしてもよい。
【００３６】
次に、幼児の足を側面方向から見る。図３に示すように、幼児の足のくるぶし３４の位置を、立壁１２の側部１４ａ，１４ｂに設けられた色表示で特定する。
【００３７】
以上のようにして、幼児の足の寸法を大きさ、幅、くるぶしの高さから測定することができる。
【００３８】
次にこの発明の他の実施の形態について説明する。図６および図７は、他の実施の形態を説明するための、平面図および側面図である。図６は他の実施の形態における図１（Ａ）に対応する図であり、図７は、図６において、ＶＩＩ-ＶＩＩで示す部分の矢視図である。
【００３９】
図６および図７を参照して、この発明の他の実施の形態においては、足寸法測定装置１１は、立壁１２の両端部に設けられた左側壁４０と右側壁４１とを含む。右側壁４０と左側壁４１には、それぞれ、足先ガイド溝４４と甲ガイド溝４７とが設けられ、足先ガイド溝４４には棒４５が、甲ガイド溝４７には、棒４８が上下動可能に保持される。
【００４０】
次にこの発明の他の実施の形態における足寸法の測定方法について説明する。まず、図４および図５に示すように、幼児の足を足載置台２０上に置いて、足の大きさ、くるぶしの高さ等を測定するのは先の実施の形態と同じである。次いで、図６に示した足寸法測定装置１１を、棒４５および４８が無い状態で、幼児の足のかかとに当接させる。その後、棒４５，４８を足先ガイド溝４４および甲ガイド溝４７に挿入して、図７に示すように足先部分および甲部分の高さをそれぞれの棒４５，４８の位置から測定する。なお、この場合、図示は無いが、図３において側部１４に設けたような、高さ方向に色違いの複数の段階表示を行って、それを基に寸法を判断するのが良い。
【００４１】
なお、この実施の形態では、幼児の足のくるぶしの位置を外部から検出できるように、左右の側壁４０、４１は透明のアクリル材等で構成されるのが好ましい。
【００４２】
また、この実施の形態では、左右側面当接部材が設けられていないため、足の幅方向寸法を知るためにも透明であれば、立壁１２の背面から足の幅方向寸法を知ることができる。
【００４３】
図８は、さらに他の実施の形態を示す図である。図８（Ａ）はさらに他の実施の形態における平面図であり、図８（Ｂ）は（Ａ）において、Ｂ-Ｂで示した部分の断面図である。図１に示した実施の形態においては、挟持部１３を用いて立壁１２と足裏板１５とが接続されたが、この実施の形態においては、立壁１２の下部に設けられた隙間１６で、足載置台２０に足寸法測定装置１０が保持される。上記以外の部分は先の実施の形態と同じであるので、その説明は省略する。
【００４４】
図９は、この発明のさらに他の実施の形態を示す斜視図（Ａ）と、図９（Ａ）に示した前側および後側ベルト５３，５４の裏側の具体例を示す図（Ｂ）である。
【００４５】
図９を参照して、この実施の形態においては、足寸法測定装置５０は、立壁５１と、立壁５１に直交する足裏板５２とを含む。足裏板５２には図１で示した複数の足の形状表示１７と、足の形状表示１７の所定の位置に設けられた前側ベルト５３と、後側ベルト５４とを含む。それぞれのベルト５３，５４は、中央部が足の形状表示６１に固定され、両端部は足の側部方向に延びている。また、立壁５１には、図３に示したくるぶし高さ表示６３と同様の、くるぶしの高さを確認できる表示６４が設けられている。
【００４６】
図９（Ｂ）を参照して、各ベルト５３，５４の裏側には、その一方端部に甲部分段階表示６５ａ，６５ｂ，６５ｃ，６５ｄ，６５ｅがそれぞれ設けられている。他方端部は単なる端部となっている。足寸法測定装置５０を幼児のかかとに当てたとき、両ベルトをそれぞれ、幼児の甲部分に図中矢印で示すように巻き付ける。
そして、一方端と他方端とを重ねると、複数の甲部分段階表示６５ａ，６５ｂ，６５ｃ，６５ｄ，６５ｅの途中までが重なる。重なる位置の表示を読取ることによって、幼児の甲部分の寸法を知ることができる。なお、この表示は相互に色を変えた表示とするのが好ましい。
【００４７】
なお、このとき、足の幅方向の寸法は足の形状表示６１から知ることができるため、これを合わせて検討することにより、甲の高さを知ることができる。
【００４８】
次に、この発明のさらに他の実施の形態について説明する。図１２は、この発明のさらに他の実施の形態を示す斜視図である。
【００４９】
図１２を参照して、この実施の形態においては、足寸法測定装置７０は、通常の靴の上部を取り外した形状を有しており、立壁７１と、立壁７１に直交する足裏板７２とを含む。立壁７１は靴のかかと部となっており、足裏板７２には図１で示した複数の足の形状表示７３が設けられている。したがって、先の実施の形態と同様に、幼児の足を置かせて、その寸法を容易に知ることができる。
【００５０】
この実施の形態においては、先の実施の形態のと異なり、足の甲部分の高さの測定はできないが、形状が普通の靴と異なっており、幼児が興味をもつとともに、かかと部が通常の靴と同じ形状となっているため、幼児に足を載置させるのは容易である。
【００５１】
図面を参照してこの発明の一実施形態を説明したが、本発明は、図示した実施形態に限定されるものではない。本発明と同一の範囲内において、または均等の範囲内において、図示した実施形態に対して種々の変更を加えることが可能である。
【産業上の利用可能性】
【００５２】
この発明にかかる、幼児の足寸法測定装置は、任意の位置にある幼児のかかとに対して、足寸法測定装置の立壁を当て、それに直交する足裏板上の、足の大きさを段階的に示す表示部がどこまで幼児の足で隠れているかによって、幼児の足の寸法を知ることができるため、幼児の足の寸法の測定に有利に利用される。
【図面の簡単な説明】
【００５３】
【図１】この発明の一実施の形態にかかる足寸法測定装置を示す図である。
【図２】図１（Ａ）において、ＩＩ-ＩＩで示す断面図である。
【図３】図１（Ａ）において、ＩＩＩ-ＩＩＩで示す矢視図である。
【図４】足寸法測定装置の使用状態を示す図である。
【図５】足寸法測定装置の使用時の要部を示す図である。
【図６】この発明の他の実施の形態にかかる足寸法測定装置の平面図である。
【図７】この発明の他の実施の形態にかかる足寸法測定装置の側面図である。
【図８】この発明のさらに他の実施の形態にかかる足寸法測定装置を示す図である。
【図９】この発明のさらに他の実施の形態にかかる足寸法測定装置を示す図である。
【図１０】従来の足寸法測定装置を示す図である。
【図１１】従来の足寸法測定装置を示す図である。
【図１２】この発明のさらに他の実施の形態にかかる足寸法測定装置を示す図である。
【符号の説明】
【００５４】
１０、１１、５０、７０  足寸法測定装置、１２、５１  立壁、１３  挟持部、１４  側部、１５、５２  足裏板、１７  足の形状、２０  足載置台
【図１】
2005021657.tif 000003
【図２】
2005021657.tif 000004
【図３】
2005021657.tif 000005
【図４】
2005021657.tif 000006
【図５】
2005021657.tif 000007
【図６】
2005021657.tif 000008
【図７】
2005021657.tif 000009
【図８】
2005021657.tif 000010
【図９】
2005021657.tif 000011
【図１０】
2005021657.tif 000012
【図１１】
2005021657.tif 000013
【図１２】
2005021657.tif 000014